(57)【要約】【課題】当該地域で放送している地上デジタル放送局の放送周波数を自動的に確定して、受信時間の短縮やユーザによる地域設定などの操作を不要とする。【解決手段】選局制御手段５は、デジタル放送を受信する際に、前処理として、第２のメモリ手段３ａから現在地域のデジタル放送局を確定するに必要な複数のアナログ放送の検索周波数群を順次受信し，検出手段４によって正常に受信した当該地域の検索周波数が全て一致した場合に、当該地域と判定することにより、受信時間を短縮し、ユーザによる地域設定などの操作を不要とする。【選択図】図１
2005192065.tif 000002
【特許請求の範囲】
【請求項１】
メモリされた地上波のアナログ音声放送とデジタル放送とを選択的に受信可能な放送受信装置であって、
アナログ音声放送を受信する第１の受信部と、
デジタル放送を受信する第２の受信部と、
当該地域及びその地域におけるアナログ音声放送局とデジタル放送局のそれぞれの放送周波数を登録した第１のメモリ手段と、
地域毎にデジタル放送局の現在地域を確定するに必要な複数のアナログ音声放送局の検索周波数群とアナログ音声放送局の現在地域を確定するに必要な複数のアナログ音声放送局の検索周波数群をそれぞれ登録した第２のメモリ手段と、
アナログ音声放送の受信時に前記第２のメモリから地域毎に複数の検索周波数群を順次受信し、正常に受信したことを検出する検出手段と、
前記第１のメモリ手段と前記第２のメモリ手段を選択して所望する放送周波数を受信制御する選局制御手段とを備え、
前記選局制御手段は、デジタル放送を受信する際に、前処理として、前記第２のメモリ手段から現在地域のデジタル放送局を確定するに必要な複数のアナログ放送の検索周波数群を第１の受信部によって順次受信し，前記検出手段によって正常に受信した当該地域の検索周波数が全て一致した場合に、当該地域と判定し、その後、第１のメモリ手段から当該地域の所望するデジタル放送局を第２の受信部に設定して受信制御するように構成することを特徴とする放送受信装置。
【請求項２】
前記第１の受信部はＦＭ放送とＡＭ放送を受信可能であり、前記第２のメモリ手段は現在地域を確定するに足るＦＭ放送局とＡＭ放送局のそれぞれ複数の検索周波数群を地域別に分けて登録したことを特徴とする請求項１記載の放送受信装置。
【発明の詳細な説明】
【技術分野】
【０００１】
本発明は、メモリされた地上波によるアナログ音声放送とデジタル放送の双方を受信する受信装置に関する。
【背景技術】
【０００２】
地上波によるアナログ音声放送とデジタル放送の双方を受信する受信装置は、一般的に図５に示すような構成で、アナログ音声放送を受信する第１の受信部５１、デジタル放送を受信する第２の受信部５２、地域別にアナログ音声放送およびデジタル放送の放送周波数をそれぞれ登録したメモリ手段５３、受信する放送帯を選択するバンドキー、周波数のアップ・ダウンを行う選局キー、当該地域の地域コードを設定する１０キーなどを有する操作手段５５、受信放送帯や放送局や地域コードなどを表示する表示部５６、メモリ手段５３で選択した地域毎の放送周波数をＰＬＬ回路５４ａに設定し、第１の受信部５１と第２の受信部５２によって所望するそれぞれの放送局の選局制御と、操作手段５５や表示部５６のそれぞれの制御を行う選局制御手段５４を備える。
【０００３】
ここで、メモリ手段５３について、図６を用いて説明する。メモリ手段５３には、複数の地域毎に当該地域及びその地域における放送局の周波数を登録しており、詳細には地域メモリ群Ａ１〜Ａｎと、当該地域メモリ群Ａ１〜Ａｎの各々にメモリされた地域別放送局の周波数メモリ群ａ１１〜ａ１ｋ、ａ２１〜ａ２ｌ、ａｎ１〜ａｎｍを有する。また、上記地域メモリ群Ａ１〜Ａｎのそれぞれの地域毎に、当該地域およびその地域のアナログ音声放送のＡＭ帯,ＦＭ帯の周波数とデジタル放送の周波数をａ１１〜ａｎｍの周波数メモリ群に登録している。これは各地域Ａ１〜Ａｎごとにおける放送局の数によって適宜決定され、予めメモリしておくものである。
【０００４】
デジタル放送あるいはアナログ音声放送を受信する際には、まず、受信者が操作手段５５からキー入力により現在地域の地域名（コード番号でも良い）の入力を行う。予め操作手段５５によってデジタル放送あるいはアナログ音声放送を受信する放送帯は選択されており、その受信放送帯において、選局制御手段５４はメモリ手段５３に予め登録しておいた当該地域の地域コードと放送局名とを表示部５６に表示するとともに、ＰＬＬ回路部５４ａのプログラマブル分周器へは所望する放送周波数に合致した分周比を制御し、第１の受信部５１あるいは第２の受信部５２によって受信することができる。
【０００５】
また特許文献１の、特許第２８９３０２６号公報に記載のものは、上記のような、キー入力により現在の地域名を入力しないでも、複数の地域ごとに当該地域における放送局の周波数をメモリしたメモリを持ち、使用地域特定のための自動検索開始操作手段によって、受信された一定レベル以上の受信周波数と、前記のメモリとを比較して当該地域を確定できるものが開示されている。
【特許文献１】特許第２８９３０２６号公報
【発明の開示】
【発明が解決しようとする課題】
【０００６】
しかしながら、上記した従来のものでは、旅行や出張などで別の地域に行って受信装置を使用する場合、そのたびごとに当該操作手段からその地域のコード番号を入力するという煩わしさがあり、即座に受信することができないという問題があった。
【０００７】
また特許文献１のものでは、アナログ放送には対応できるが、デジタル放送が開始されたときには、そのままでは対応できないという問題があった。
【０００８】
本発明は、このような従来の問題点に鑑み、旅行や出張などで別の地域に行ってもデジタル放送を含む当該地域の放送局を即座に受信することができ、かつ操作も容易な放送受信装置を提供することを目的とする。
【課題を解決するための手段】
【０００９】
この課題を解決するために本発明は、メモリされた地上波のアナログ音声放送とデジタル放送とを選択的に受信可能な放送受信装置であって、アナログ音声放送を受信する第１の受信部と、デジタル放送を受信する第２の受信部と、当該地域及びその地域におけるアナログ音声放送局とデジタル放送局のそれぞれの放送周波数を登録した第１のメモリ手段と、地域毎にデジタル放送局の現在地域を確定するに必要な複数のアナログ音声放送局の検索周波数群とアナログ音声放送局の現在地域を確定するに必要な複数のアナログ音声放送局の検索周波数群をそれぞれ登録した第２のメモリ手段と、アナログ音声放送の受信時に前記第２のメモリから地域毎に複数の検索周波数群を順次受信し、正常に受信したことを検出する検出手段と、前記第１のメモリ手段と前記第２のメモリ手段を選択して所望する放送周波数を受信制御する選局制御手段とを備え、前記選局制御手段は、デジタル放送を受信する際に、前処理として、前記第２のメモリ手段から現在地域のデジタル放送局を確定するに必要な複数のアナログ放送の検索周波数群を第１の受信部によって順次受信し，前記検出手段によって正常に受信した当該地域の検索周波数が全て一致した場合に、当該地域と判定し、その後、第１のメモリ手段から当該地域の所望するデジタル放送局を第２の受信部に設定して受信制御するように構成したものである。
【発明の効果】
【００１０】
本発明は上記した構成により、アナログ音声放送局の地域判定用の放送周波数を使用してデジタル放送の地域を確定するものであり、デジタル放送を受信する際には、選局制御手段によって、まず、アナログ音声放送の第１の受信部を動作させ、第２のメモリ手段から現在地域のデジタル放送局を確定するに必要な複数のアナログ放送の検索周波数群を第１の受信部によって順次受信し，検出手段によって正常に受信した当該地域の検索周波数が全て一致した場合に、当該地域と判定する。その後、第１のメモリ手段から確定した当該地域の所望するデジタル放送局を第２の受信部によって受信制御できることになる。
【００１１】
よって、旅行や出張などの際に別の地域でアナログ音声放送を受信する場合はもとより、デジタル放送を受信する場合においても当該地域の放送局を即座に受信することが出来、かつ操作も容易である放送受信装置が得られる。
【発明を実施するための最良の形態】
【００１２】
以下本発明の受信装置の一実施形態について図面を参照しながら説明する。図１は本発明の一実施形態における受信装置のブロック図、図２は同じくその第１および第２のメモリ手段のメモリ構成図、図３は同じくその動作フローチャート、図４は図３のフローチャートで使用するサブルーチンである。
【００１３】
図１において、受信装置はアナログ音声放送を受信する第１の受信部１、デジタル放送を受信する第２の受信部２、メモリ部３、第１の受信部１の中間周波数信号を取り出して入力端子Ａに加え、中間周波数信号の振幅検波による受信信号の強度が一定のレベル値以上であるか否かを検出するとともに、中間周波数信号の検波信号の直流成分（Ｓカーブ電圧）が所定の電圧範囲のとき周波数値が所定の値であることを検出することで、第１の受信部１によって受信した信号レベルと周波数とを検出する検出手段４、第１および第２の受信部の受信周波数を決定するＰＬＬ回路５ａ、受信する放送帯を選択するバンドキー、周波数のアップ・ダウンを行う選局キー、当該地域の地域コードを設定する１０キーなどを有する操作手段６、受信放送帯、受信周波数、放送局、地域コードなどを表示する表示部７、メモリ手段３から選択した地域毎の放送周波数をＰＬＬ回路５ａに設定し、第１の受信部１４と第２の受信部２によって所望するそれぞれの放送局の選局制御を行うとともに、検出手段４によってある一定レベル以上の信号強度と周波数の一致を判定し、また操作手段６や表示部７のそれぞれの制御を行う選局制御手段５を備える。
【００１４】
ここで、メモリ手段３について、図２を用いて説明する。メモリ手段３には、第１のメモリ手段として、複数の地域毎に当該地域及びその地域における放送局名と、その周波数を登録した領域３ｂと、第２のメモリ手段として、当該地域を確定するに必要な検索用のアナログ音声放送局の周波数を登録した領域３ａとを有しており、図２においては地域メモリ群Ａ１〜Ａｎに分けて示しており、当該地域メモリ群Ａ１〜Ａｎの各々には、第１のメモリ手段である地域別放送局の周波数メモリ群ａ１１〜ａ１ｋ、ａ２１〜ａ２ｌ、ａｎ１〜ａｎｍがあり、その地域のアナログ音声放送のＡＭ帯,ＦＭ帯の周波数とデジタル放送の周波数を登録している。
【００１５】
また、第２のメモリ手段である地域別の検索周波数群ｂ１〜ｂｎのそれぞれには、アナログ放送を受信する場合に当該地域を決定するために必要なアナログ音声放送局の複数の検索周波数群であるアナログ放送受信用Ｆ１〜Ｆｎとデジタル放送を受信する場合に当該地域を決定するために必要なアナログ音声放送局の複数の検索周波数群であるデジタル放送受信用ＦＤ１〜ＦＤｎを登録している。
【００１６】
ここで、デジタル放送の地域を確定する場合にも、その地域のアナログ放送の周波数を使う理由は、デジタル放送がまだ一部地域しか確定していないことと、デジタル放送は原理的に同一地域に同一周波数を割り当て可能であり、区別が付かないことがあるためである。
【００１７】
また、ａ１１〜ａｎｍの総数は放送局の数によって適宜決定され、また、ｂ１〜ｂｎはメモリ群Ａ１〜Ａｎの各地域を決定するに必要な数の放送周波数をその地域毎に予めメモリしておくものである。
【００１８】
このように構成されて、次に選局動作について図３と図４のフローチャートに基づいて説明する。
【００１９】
以下、まず図３のフローチャートと共に説明する。まず、本実施形態の放送受信装置を旅行先などで使用する場合、受信者は、操作手段６から自動検索モードかマニュアルモードかを選択することによりスタートする。そして、ステップＳ１１で自動検索モードか否かを判定する。
【００２０】
ＮＯの場合はステップＳ２５で、操作手段６からキー入力を待つマニュアル設定モードになる。この時、表示器７には例えば４桁番号の窓を表示して受信者からの地域エリア番号の入力を待つ待機状態になる。次のステップＳ２６では４桁のエリア番号が入力され、操作手段６から確定キーが押圧されれば入力完了と判断し、次のステップＳ２７に進む。ステップＳ２６でＮＯであれば、ステップＳ２６の先頭に戻る。ステップＳ２７ではステップＳ２６で４桁の地域コードの入力が完了したので、地域確定フラグのＯＫと４桁の地域コードとを選局制御手段５に保存する。そして、後述のステップ１７の先頭に進む。
【００２１】
一方、ステップＳ１１において、ＹＥＳと判定した場合は自動検索モードのステップＳ１２に進む。ステップＳ１３では受信する放送帯がアナログ音声放送かデジタル放送かの判定をする。この判定においては、受信者が操作手段６からのバンドキーであるＦＭ放送、ＡＭ放送およびデジタル放送の入力と選択を行う。ここでは、デジタル放送が選択されたものとする。したがって、ステップＳ１３ではＮＯと判定し、次のステップＳ１４に進む。ステップＳ１４はメモリ手段３に登録している第２のメモリ手段ｂ１〜ｂｎの内、さらに、当該地域のデジタル放送局を確定するに必要なアナログ音声放送局の検索周波数群ＦＤ１〜ＦＤｎを選択し、次のステップＳ１６の先頭に進む。
【００２２】
一方、ステップ１３でＹＥＳと判定した場合、つまり、アナログ音声放送局のＦＭ放送あるいはＡＭ放送である場合はステップＳ１５に進み、メモリ手段３ａに登録している第２のメモリ手段ｂ１〜ｂｎの内、さらに、当該地域のアナログ音声放送局を確定するに必要なアナログ音声放送局の検索周波数群Ｆ１〜Ｆｎを選択し、ステップＳ１６に進む。
【００２３】
ここで、次のステップＳ１６はサブル−チンである。このはサブル−チンについて、図４のフローチャートで説明する。
【００２４】
ステップＳ４１は選局制御手段５からアナログ音声放送の第１の受信部を受信ＯＮに、デジタル放送の第２の受信部を受信ＯＦＦにするよう指令し、ステップＳ４２に進む。
【００２５】
ここで、アナログ音声放送の当該地域を決定する場合はもちろん、デジタル放送局の当該地域を決定する場合も、前処理として、アナログ音声放送を受信し、デジタル放送の受信は停止状態としておく。
【００２６】
ステップＳ４２は、前述のステップＳ１４で選択された地域メモリ群Ａ１〜Ａｎの検索周波数群ＦＤ１〜ＦＤｎの検索順位を（Ｎ＝１）とし初期化する。この例では地域Ａ１を初期値として選択したものとする。次のステップＳ４３では、第２のメモリ３ａに登録している地域Ａ１における複数の検索周波数群ＦＤ１の検索順位を（Ａ＝１）とし初期化する。次のステップＳ４４では、選択した地域Ａ１の検索周波数群ＦＤ１における第１番目の検索周波数をＰＬＬ回路部５ａのプログラマブル分周器へセットし、制御信号１１を経由して、第１の受信部１によって受信可能状態になる。
【００２７】
次のステップＳ４５では、検出手段４の検出が一定レベル以上のとき１レベルを発生し、次のステップＳ４６に進む。ステップＳ４６では、上記検出手段４における周波数が所定の値（例えばＦＭ時は１０．７ＭＨｚ）のとき、次のステップＳ４７に進む。ステップＳ４５とステップＳ４６がＹＥＳの場合では、受信の掃引を一旦停止し、検索周波数Ａ１が正常に受信されたものとし、選局制御手段５の内部レジスタに受信ＯＫフラグ＝１として登録し、ステップＳ４７に進む。そして、次のステップＳ４７では、地域メモリ群Ａ１内の検索周波数群ＦＤ１のみの全周波数の検索が全て完了したか否かの判定を行い、ＹＥＳであれば、ステップＳ４８に進む。ＮＯであれば、ステップＳ５０において、地域Ａ１の検索周波数群ＦＤ１の検索周波数を第２番目とするために、（Ａ＝Ａ＋１）として、前述のステップＳ４４の先頭に戻る。そして、ステップＳ４８では、地域メモリ群Ａ１の検索周波数群ＦＤ１のみの全周波数の検索がＯＫか否かの判定を行う。判定においては、選局制御手段５の内部レジスタに格納した受信ＯＫフラグ＝１であれば、ステップＳ４８での判定はＹＥＳとなり、次のステップＳ４９に進む。ステップＳ４９では地域確定フラグ＝ＯＫと当該地域確定の地域コードＮ（この例ではＮ＝２とする）を選局制御手段５に保存し、サブルーチンを終了する。
【００２８】
一方、前述したステップＳ４５とステップＳ４６においてＮＯと判定した場合、あるいは、ステップＳ４８で地域メモリ群Ａ１の検索周波数群ＦＤ１のみの全周波数のＯＫでない場合は、ステップＳ５１に進む。ステップＳ５１では、次の地域メモリ群Ａ１〜Ａｎのうち、Ａ２を選択するために（Ｎ＝Ｎ＋１）とし、次のステップＳ５２へ進む。ステップＳ５２では地域メモリ群Ａ１〜Ａｎのうち、Ａｎの最後の検索順位まで進んだかを判定する。判定がＹＥＳであるならば、次のステップＳ５３において、地域確定フラグをＮＧしてサブルーチンを終了する。
【００２９】
上記ステップＳ５２において、ＮＯと判定した場合、すなわち、全地域の検索は終了していない場合は、ステップＳ４３の先頭に戻る。そして、前述と同等にして、ステップＳ４３ではステップＳ５１で設定した（Ｎ＝Ｎ＋１）の値に従って、次の地域Ａ２の検索周波数群ＦＤ２における第１番目の検索周波数をセットし繰り返しの処理を行う。
【００３０】
以上で図４に基づくサブルーチンＳ１６を終了し、続いて、図３のフローチャートのステップＳ１７に進む。
【００３１】
ステップＳ１７では、サブルーチンＳ１６あるいはステップＳ２７において、地域確定フラグがＯＫであったか否かを判定する。地域確定フラグがＮＧの場合は、ステップＳ２８に進み、表示器７へ“地域確定ＮＧ“と表示し、処理を終了する。地域確定フラグがＯＫの場合は、地域を確定したものとしてステップＳ１８に進み、ステップＳ１８において、再度、ステップＳ１３の入力から、受信する放送帯がアナログ音声放送かデジタル放送かの判定を行う。
【００３２】
ステップＳ１８でＮＯと判定した場合、受信放送帯はデジタル放送が選択されているものとし、ステップＳ２０で選局制御手段５によってアナログ音声放送の第１の受信部１を受信ＯＦＦに、デジタル放送の第２の受信部２を受信ＯＮにする。そして、次のステップＳ２２に進む。ステップＳ２２では、前述のサブルーチンＳ１６またはステップＳ２６において、選局制御手段５に保存した地域確定フラグ＝ＯＫの地域コードＮ＝２を当該地域とする。すなわち、地域別メモリ群Ａ１〜Ａｎのうちで（Ａ２）の、第１のメモリ３ｂに登録したＤＴＶ２１〜ＤＴＶ２ｌを当該地域のデジタル放送局の放送周波数とする。
【００３３】
ステップＳ２３で表示部７に「エリア番号」「受信周波数」を表示し、ステップＳ２４においては、地域確定した放送周波数ＤＴＶ２１〜ＤＴＶ２ｌの中から所望する放送周波数をＰＬＬ回路部のプログラマブル分周器に設定し、制御信号１１を経由して、第２の受信部２によって受信することを可能にして処理を終了する。
【００３４】
一方、ステップＳ１８において、ＹＥＳと判定した場合、すなわちアナログ放送の場合、ステップＳ１３での入力時に、受信放送帯はアナログ音声放送のうちＦＭ放送が選択されているものとすれば、ステップＳ１９で選局制御手段５によってアナログ音声放送の第１の受信部１を受信ＯＮに、デジタル放送の第２の受信部２を受信ＯＦＦにする。そして、次のステップＳ２１に進む。ステップＳ２１では、前述のサブルーチンＳ１６またはステップＳ２７において、選局制御手段５に保存した地域確定フラグ＝ＯＫの地域コードＮ＝２を当該地域とする。すなわち、地域別メモリ群Ａ１〜Ａｎのうちで（Ａ２）の、第１のメモリに登録したＦＭ２１〜ＦＭ２ｎを当該地域のＦＭ放送の放送周波数とする。ステップＳ２３で表示部７に「エリア番号」「受信周波数」を表示し、ステップＳ２４においては、地域確定した放送周波数ＦＭ２１〜ＦＭ２ｎの中から所望する放送周波数をＰＬＬ回路部５ａのプログラマブル分周器に設定し、制御信号１１を経由して、第１の受信部１によって受信することを可能として処理を終了する。
【産業上の利用可能性】
【００３５】
以上のように本発明の受信装置によれば、旅行や出張などの際に別の地域でアナログ音声放送を受信する場合はもとより、デジタル放送を受信する場合においても当該地域の放送局を即座に受信することが出来、かつ操作も容易であるという有利な効果が得られる。
【図面の簡単な説明】
【００３６】
【図１】本発明の一実施形態における受信装置のブロック図
【図２】同じくその第１および第２のメモリ手段のメモリ構成図
【図３】同じくその動作フローチャート
【図４】図３のフローチャートのサブルーチンを示す図
【図５】従来の受信装置のブロック図
【図６】従来の受信装置におけるメモリ構成図
【符号の説明】
【００３７】
１    第１の受信部
２    第２の受信部
３    メモリ手段
３ａ    地域確定用検索放送周波数
３ｂ    地域別の放送局名と放送周波数
４    検出手段
５    選局制御手段
５ａ    ＰＬＬ回路部
６    操作手段
７    表示部
【図１】
2005192065.tif 000003
【図２】
2005192065.tif 000004
【図３】
2005192065.tif 000005
【図４】
2005192065.tif 000006
【図５】
2005192065.tif 000007
【図６】
2005192065.tif 000008